(57)【要約】【課題】バスト（乳房）の揺れを適切に抑えることができ、なおかつ着用感を損ねることのないハーフトップの提供。【解決手段】着用者の胸部を被覆する胸被覆部と、胸被覆部の両端より脇下を被覆するように設けられた脇メッシュ部と、背中の中央部分を被覆するバックメッシュ部と、脇メッシュ部とバックメッシュ部との間に設けられたバック布部により着用者の胸回りを被覆し、前記胸被覆部の上部から前記バックメッシュ部へと連続して着用者の肩部に配置される一対の肩紐を備え、前記バック布部には前記脇メッシュ部との接合部付近に縦方向の芯材を設け、前記脇メッシュ部を２重のメッシュ生地により構成するとともに、その表地には両端部がそれぞれ胸被覆部とバック布部に接続された２本のテープを胸被覆部からバック布部に向けて幅が狭くなる略Ｖ字型に取り付けたことを特徴とするハーフトップ。【選択図】  図１
0003167801.tif 000002
【実用新案登録請求の範囲】
【請求項１】
着用者の胸部を被覆する胸被覆部と、胸被覆部の両端より脇下を被覆するように設けられた脇メッシュ部と、背中の中央部分を被覆するバックメッシュ部と、脇メッシュ部とバックメッシュ部との間に設けられたバック布部により着用者の胸回りを被覆し、前記胸被覆部の上部から前記バックメッシュ部へと連続して着用者の肩部に配置される一対の肩紐を備え、前記バック布部には前記脇メッシュ部との接合部付近に縦方向の芯材を設け、前記脇メッシュ部を２重のメッシュ生地により構成するとともに、その表地には両端部がそれぞれ胸被覆部とバック布部に接続された２本のテープを胸被覆部からバック布部に向けて幅が狭くなる略Ｖ字型に取り付けたことを特徴とするハーフトップ。
【請求項２】
前記脇メッシュ部の２本のテープが貼付された領域の裏地に、非伸縮性の下地を取り付けたことを特徴とする請求項１に記載のハーフトップ。
【請求項３】
前記テープが伸縮性のない、または／および伸縮性の少ない素材で構成されていることを特徴とする請求項１または請求項２のいずれかに記載のハーフトップ。
【請求項４】
前記カップ部と前記脇メッシュ部、前記バック布部、および前記バックメッシュ部の下部に伸縮性素材のアンダーベルトが連続して設けられていることを特徴とする請求項１ないし請求項３のいずれか１項に記載のハーフトップ。
【考案の詳細な説明】
【技術分野】
【０００１】
本考案は、女性用の下着もしくはスポーツウェアであるハーフトップに関するものである。
【背景技術】
【０００２】
従来より、女性用のブラジャーにはバストの形を整えるとともに、バストの揺れを適度に抑えることが機能的に求められているが、揺れを防ぐために締め付けをきつくすると、着用感が損なわれるという問題があった。
【０００３】
そこで、特許文献１には縦横方向に伸縮性に優れた素材を用いて全体を連続して一体的に設け、両乳房のアンダーラインに沿って金属性ワイヤーを設けたスポーツ用ブラジャーが開示されている。
【０００４】
しかし、特許文献１のものは、バストの揺れは防止することはできても、素材が伸縮性のものに限定されてスポーツ時以外の着用には向かず、またワイヤーが乳房にあたり着用感を阻害する可能性がある。
【先行技術文献】
【特許文献】
【０００５】
【特許文献１】特開平０９−２９６３０８号
【考案の概要】
【考案が解決しようとする課題】
【０００６】
従って、本考案は、バスト（乳房）の揺れを適切に抑えることができ、なおかつ着用感を損ねることのないハーフトップを提供することをその課題とするものである。
【課題を解決するための手段】
【０００７】
本考案は、上記課題を解決するものであり、着用者の胸部を被覆する胸被覆部と、胸被覆部の両端より脇下を被覆するように設けられた脇メッシュ部と、背中の中央部分を被覆するバックメッシュ部と、脇メッシュ部とバックメッシュ部との間に設けられたバック布部により着用者の胸回りを被覆し、前記胸被覆部の上部からバックメッシュ部へと連続して着用者の肩部に配置される一対の肩紐を備え、前記バック布部には前記脇メッシュ部との接合部付近に縦方向の芯材を設け、前記脇メッシュ部を２重のメッシュ生地により構成するとともに、その表地には両端部がそれぞれ胸被覆部とバック布部に接続された２本のテープを胸被覆部からバック布部に向けて幅が狭くなる略Ｖ字型に取り付けたことを特徴とするハーフトップである。
【考案の効果】
【０００８】
本考案のハーフトップは、胸被覆部からバック布部にかけてＶ字型に設けられたテープによって、バストの揺れを効果的に防ぐことができるとともに、脇メッシュ部に設けた芯材により脇押さえを強化し、胸の形を整えてより綺麗に見せることができる。また、脇や背面にメッシュ素材の生地を採用することにより、ムレを防止し、着用感の向上を図ることができる。
【０００９】
さらに、本考案のハーフトップで、脇メッシュ部のテープが取り付けられた領域に非伸縮性の生地を取り付けたものは、当該領域が補強されることにより、より一層のバストの揺れ防止効果を得ることができる。
【図面の簡単な説明】
【００１０】
【図１】本考案に係るハーフトップの斜視図。
【図２】本考案に係るハーフトップの正面図。
【図３】本考案に係るハーフトップの背面図。
【図４】（ａ）は本考案に係るハーフトップの部分拡大図。                              （ｂ）は本考案に係るハーフトップの部分拡大図。
【考案を実施するための形態】
【００１１】
以下、本考案のハーフトップの一実施態様を、図面に基づいて具体的に説明する。なお、本考案はこれら実施態様に何ら制約されるものではない。
【００１２】
図１は本考案に係るハーフトップの斜視図、図２は同正面図、図３は同背面図である。図中、１は胸被覆部、２は肩紐、３は脇メッシュ部、４はバック布部、５はバックメッシュ部、６はアンダーベルト、７はテープをそれぞれ示す。
【００１３】
図に示すように、本考案にかかるハーフトップは、着用者の乳房部位を被覆する胸被覆部１と、胸被覆部１の両端から連続して脇下を被覆する脇メッシュ部３、脇から背中の両側にかけて被覆するバック布部４、および背中の中央部分を被覆するバックメッシュ部５によって、着用者の胸回りを被覆している。そして、胸被覆部１上部からは、着用者の肩部に配置される肩紐２が背中のバックメッシュ部５へと連続して形成されている。さらに、胸回りを被覆する各部材の下部にはアンダーベルト６が連続して形成されている。
【００１４】
胸被覆部１はポリエステル糸、ナイロン糸、ポリウレタン糸等の編地を素材とした生地により形成されており、その内側には、乳房部位を保持するウレタンや不織布等を素材としたモールドカップが収納できるポケット（図示せず）が設けられている。本実施態様では、バック布部４も胸被覆部１と同一の素材で形成されているが、かならずしもこれらは同一の素材に限定されず、互いに異なる素材で構成してもよい。また、モールドカップは胸被覆部１のポケットに着脱自在に挿入されるタイプのほか、胸被覆部１に直接縫い付けるタイプを採用しても良い。
【００１５】
脇メッシュ部３およびバックメッシュ部５と、バックメッシュ部５に連続する肩紐２はともにメッシュ素材により形成されており、特に、脇メッシュ部３はメッシュ生地を２重にして形成されている。このとき、２重にするメッシュ生地は同一素材としてもよいが、バストカップの揺れを適切に抑えるために、裏地のメッシュ生地として伸縮性の高い生地を用いるのが好ましく、特に、ナイロンなどにポリウレタン弾性繊維を交編して形成されるいわゆるパワーネットを使用することが好ましい。
【００１６】
図４（ｂ）の部分拡大図に示すように、脇メッシュ部３との接合付近のバック布部４には縦方向に芯材８が縫い込まれている。かかる芯材８により脇押さえを強化することができ、バストの形を整えてより綺麗に見せることができる。なお、芯材８の材質としては、セルボーン等を好適に使用することができる。
【００１７】
脇メッシュ部３の表地のメッシュの表面には、伸縮性のない、または、少ない生地により形成されたテープ７が２本設けられている。図に示すように、テープ７はその一端が胸被覆部１横に連接し、他端がバック布部４の芯材８側に連接している。そして、２本のテープ７は胸被覆部１からバック布部４にかけて徐々に幅が狭くなる略Ｖ字型になるように形成されている。かかる構成により、カップが下方向に揺れる場合は、下部のテープ７によりカップが下がるのを抑え、上方向に揺れる場合は上部のテープ７によりカップが上がるのを抑えることができるため、効果的にバストカップの揺れを防ぐことができる。なお、上部と下部のテープ７の生地の伸縮性は同一でもよいが、例えば、上部のテープ７として伸縮性が少ないものを選択し、下部のテープ７として伸縮性がないものを選択するなどして、上下のテープ７の伸縮性に変化を与えてもよい。
【００１８】
図４（ａ）の部分拡大図に示すように、脇メッシュ部３の裏地のパワーネット３２には、２本のテープ７が貼付されたＶ字型の領域をカバーするように、非伸縮性の生地で形成された下地９を縫着してもよい。このように、テープ７が貼付された部分の裏地に非伸縮性の下地９を取り付けることで、テープ７と相俟ってバストカップの揺れ防止の効果がより向上する。なお、下地９のパワーネット３２に対する縫着方法は特に限定されず、千鳥縫いなどにより縫着すればよい。
【００１９】
以上のとおり、本考案にかかるハーフトップは、脇、背面、肩紐部分をメッシュ生地により構成することで、ムレを防止することができ、略Ｖ字型になるように形成されたテープ７と下地９により、バストカップの揺れを効果的に防止することができる。さらに、
バック布部４に設けられた芯材８により脇押さえの効果を得ることができる。
【符号の説明】
【００２０】
１……胸被覆部
２……肩紐
３……脇メッシュ部
４……バック布部
５……バックメッシュ部
６……アンダーベルト
７……テープ
８……芯材
９……下地
３１……メッシュ表地
３２……パワーネット
【図１】
0003167801.tif 000003
【図２】
0003167801.tif 000004
【図３】
0003167801.tif 000005
【図４】
0003167801.tif 000006